(57)【要約】【課題】メールサーバによる迷惑メールの送信を受信者が任意に禁止することができる電子メールサービスシステムを提供する【解決手段】電子メール配信システム１は、メールサーバ１０と、振分けサーバ２０とを備え、振分けサーバ２０は、メールサーバ１０が受信した受信メールを受信する受信モジュール２１と、受信モジュール２１が受信した受信メールをメールサーバ１０に送信するか否かを判別する判別モジュール２２，２３と、判別モジュール２３から受信メールを受信すると共に、受信した受信メールを分割して分割データを作成する分割モジュール２４と、この分割データを格納する格納データベース２５と、振分けルールを記憶する設定データベース２６と、この振分けルールに基づいて分割データの振分け処理を行う振分けモジュール２７とを備える。【選択図】　　　図１
2004030626.tif 000002
【特許請求の範囲】
【請求項１】
送信元の通信装置が送信した電子メールをインターネットを介して受信し、当該受信した電子メールをインターネットを介して送信先の通信装置に送信するメールサーバを制御する電子メールサービスシステムであって、前記メールサーバが受信した電子メールが所定のキーワードを有するか否かを判別する判別手段と、前記受信した電子メールが前記所定のキーワードを有するときは、前記送信先の通信装置への前記受信した電子メールの送信を禁止するように前記メールサーバに指令する指令手段とを備え、前記所定のキーワードは、前記送信先の通信装置により設定可能であり、且つ前記送信元の通信装置のメールアドレス、前記受信した電子メールのタイトル中の所定のキーワード、又は前記受信した電子メールの本文中の所定のキーワードを有することを特徴とする電子メールサービスシステム。
【請求項２】
前記判別手段は、前記受信した電子メールが所定の他のキーワードを有するか否かを判別し、前記指令手段は、前記受信した電子メールが前記所定の他のキーワードを有するときは、前記送信先の通信装置へ前記電子メールの送信をするように前記メールサーバに指令することを特徴とする請求項１記載の電子メールサービスシステム。
【請求項３】
前記所定の他のキーワードは、前記送信先の通信装置により設定可能であり、且つ前記送信元の通信装置のメールアドレス、前記受信した電子メールのタイトル中の所定のキーワード、又は前記受信した電子メールの本文中の所定のキーワードを有することを特徴とする請求項２記載の電子メールサービスシステム。
【請求項４】
前記受信した電子メールを格納する格納手段を有することを特徴とする請求項１乃至３のいずれか１項に記載の電子メールサービスシステム。
【請求項５】
前記格納手段は、前記所定のキーワードに対応する格納領域を有し、前記指令手段は、前記受信した電子メールが前記所定のキーワードを有するときは、当該受信した電子メールを前記対応する格納領域に格納するように指令することを特徴とする請求項４記載の電子メールサービスシステム。
【請求項６】
前記格納された電子メールは、前記送信先の通信装置より検索可能であることを特徴とする請求項４又は５記載の電子メールサービスシステム。
【請求項７】
前記通信装置は携帯電話であることを特徴とする請求項１乃至６のいずれか１項に記載の電子メールサービスシステム。
【請求項８】
送信元の通信装置が送信した電子メールをインターネットを介して受信し、当該受信した電子メールをインターネットを介して送信先の通信装置に送信するメールサーバを制御する電子メールサービス方法であって、
前記メールサーバが受信した電子メールが所定のキーワードを有するか否かを判別する判別ステップと、前記受信した電子メールが前記所定のキーワードを有するときは、前記送信先の通信装置への前記受信した電子メールの送信を禁止するように前記メールサーバに指令する指令ステップとを備え、前記所定のキーワードは、前記送信先の通信装置により設定可能であり、且つ前記送信元の通信装置のメールアドレス、前記受信した電子メールのタイトル中の所定のキーワード、又は前記受信した電子メールの本文中の所定のキーワードを有することを特徴とする電子メールサービス方法。
【請求項９】
送信元の通信装置が送信した電子メールをインターネットを介して受信し、当該受信した電子メールをインターネットを介して送信先の通信装置に送信するメールサーバを制御する電子メールサービス方法をコンピュータに実行させるプログラムであって、
前記メールサーバが受信した電子メールが所定のキーワードを有するか否かを判別する判別モジュールと、前記受信した電子メールが前記所定のキーワードを有するときは、前記送信先の通信装置への前記受信した電子メールの送信を禁止するように前記メールサーバに指令する指令モジュールとを備え、前記所定のキーワードは、前記送信先の通信装置により設定可能であり、且つ前記送信元の通信装置のメールアドレス、前記受信した電子メールのタイトル中の所定のキーワード、又は前記受信した電子メールの本文中の所定のキーワードを有するることを特徴とするプログラム。
【発明の詳細な説明】
【０００１】
【発明の属する技術分野】
本発明は、電子メールサービスシステム及び該電子メールサービス方法、並びに該方法を実行するプログラムに関し、特に、メールサーバを介して電子メールを送信する電子メールサービスシステム及び該電子メールサービス方法、並びに該方法を実行するプログラムに関する。
【０００２】
【従来の技術】
従来の電子メールサービスシステムは、送信元の携帯電話が送信した電子メールをインターネットを介して受信し、受信した電子メールをインターネットを介して送信先の携帯電話に送信するメールサーバを備える。
【０００３】
電子メールには、一般的に「ユーザー名＠ドメイン名」より構成されるメールアドレスが付されており、メールサーバは、該メールアドレスにより電子メールの送信者及び受信者の識別を行う。
【０００４】
上記メールサーバは、インターネットを介して電子メールの送受信を行うべく、ＳＭＴＰ（Ｓｉｍｐｌｅ　Ｍａｉｌ　Ｔｒａｎｓｆｅｒ　Ｐｒｏｔｏｃｏｌ）サーバとＰＯＰ（Ｐｏｓｔ　Ｏｆｆｉｃｅ　Ｐｒｏｔｏｃｏｌ）サーバとを有する。ＳＭＴＰサーバは、受信した電子メールを携帯電話に送信するが、携帯電話がオフライン状態では送信することができない。ＰＯＰサーバは、メールボックスを有し、ＳＭＴＰサーバが受信した電子メールを送信できない場合に、受信した電子メールをメールボックスに保存し、携帯電話がオンライン状態になったときに、電子メールを受信者に送信する。
【０００５】
また、上記メールサーバは、ドメイン毎に夫々備えられており、同一のドメインに属する送信者及び受信者は、同一のメールサーバを介して電子メールの送受信を行い、夫々異なるドメインに属する送信者及び受信者間の電子メールの送受信は、送信者及び受信者が夫々属するドメインのメールサーバを介して行われる。
【０００６】
上記のように、従来のメールサーバは、携帯電話がオンライン状態にあるときは、一様に受信者に電子メールを送信するようになっている（例えば、特許文献１）。
【０００７】
【特許文献１】
特開２００１−２６５６７２号公報
【０００８】
【発明が解決しようとする課題】
しかしながら、メールサーバにより送信される電子メールには、ユーザーが受信を望むものに加えて、望まないものも含まれることになり、従来のメールサーバは、受信を望まない送信者からの電子メール（以下「迷惑メール」という。）をも、一様に受信者に送信してしまい、受信者を不快にしている。このメールサーバによる迷惑メールの送信は、インターネットプロバイダに送信拒否の登録依頼をすることにより禁止することができるが、受信者は、携帯電話からの設定により任意にメールサーバの電子メールの送信を禁止することができない。
【０００９】
本発明の目的は、メールサーバによる迷惑メールの送信を受信者が任意に禁止することができる電子メールサービスシステム及び該電子メールサービス方法、並びに該方法を実行するプログラムを提供することにある。
【００１０】
【課題を解決するための手段】
上記目的を達成するために、請求項１記載の電子メールサービスシステムは、送信元の通信装置が送信した電子メールをインターネットを介して受信し、当該受信した電子メールをインターネットを介して送信先の通信装置に送信するメールサーバを制御する電子メールサービスシステムであって、前記メールサーバが受信した電子メールが所定のキーワードを有するか否かを判別する判別手段と、前記受信した電子メールが前記所定のキーワードを有するときは、前記送信先の通信装置への前記受信した電子メールの送信を禁止するように前記メールサーバに指令する指令手段とを備え、前記所定のキーワードは、前記送信先の通信装置により設定可能であり、且つ前記送信元の通信装置のメールアドレス、前記受信した電子メールのタイトル中の所定のキーワード、又は前記受信した電子メールの本文中の所定のキーワードを有することを特徴とする。
【００１１】
請求項１記載のシステムによれば、受信した電子メールが所定のキーワードを有するときは、受信した電子メールを送信先の通信装置に送信しないようにメールサーバに指令し、所定のキーワードは、送信先の通信装置により設定可能であり、且つ送信先の通信装置のメールアドレス、受信した電子メールのタイトル中の所定のキーワード、又は受信した電子メールの本文中の所定のキーワードを含むので、電子メールサービスシステムを既存のメールサーバに接続するだけで、メールサーバによる所定のキーワードを含む電子メール、例えば迷惑メールの送信を受信者が任意に且つ自己の使用環境により適応した条件で禁止することができる。
【００１２】
請求項２記載の電子メールサービスシステムは、請求項１記載の電子メールサービスシステムにおいて、前記判別手段は、前記受信した電子メールが所定の他のキーワードを有するか否かを判別し、前記指令手段は、前記受信した電子メールが前記所定の他のキーワードを有するときは、前記送信先の通信装置へ前記電子メールの送信をするように前記メールサーバに指令することを特徴とする。
【００１３】
請求項２記載のシステムによれば、受信した電子メールが所定の他のキーワードを有するときは、受信した電子メールを送信先の通信装置に送信をするようにメールサーバに指令するので、受信者は受信を望む電子メールのみを受信することができる。
【００１４】
請求項３記載の電子メールサービスシステムは、請求項２記載の電子メールサービスシステムにおいて、前記所定の他のキーワードは、前記送信先の通信装置により設定可能であり、且つ前記送信元の通信装置のメールアドレス、前記受信した電子メールのタイトル中の所定のキーワード、又は前記受信した電子メールの本文中の所定のキーワードを有することを特徴とする。
【００１５】
請求項３記載のシステムによれば、所定の他のキーワードは、送信先の通信装置により設定可能であり、且つ送信元の通信装置のメールアドレス、受信した電子メールのタイトル中の所定のキーワード、又は受信した電子メールの本文中の所定のキーワードを有するので、受信者が受信を望む電子メールを、受信者が任意に且つ自己の使用環境により適応した条件で禁止することができる。
【００１６】
請求項４記載の電子メールサービスシステムは、請求項１乃至３のいずれか１項に記載の電子メールサービスシステムにおいて、前記受信した電子メールを格納する格納手段を有することを特徴とする。
【００１７】
請求項４記載のシステムによれば、格納手段が受信した電子メールを格納するので、送信先の通信装置からシステムにアクセスすることにより、当該通信装置において受信した電子メールを見ることができる。
【００１８】
請求項５記載の電子メールサービスシステムは、請求項４記載の電子メールサービスシステムにおいて、前記格納手段は、前記所定のキーワードに対応する格納領域を有し、前記指令手段は、前記受信した電子メールが前記所定のキーワードを有するときは、当該受信した電子メールを前記対応する格納領域に格納するように指令することを特徴とする。
【００１９】
請求項５記載のシステムによれば、受信した電子メールが所定のキーワードを有するときは、当該受信した電子メールを所定のキーワードに対応する格納領域に格納するので、受信した電子メールの格付けをすることができる。
【００２０】
請求項６記載の電子メールサービスシステムは、請求項４又は５記載の電子メールサービスシステムにおいて、前記格納された電子メールは、前記送信先の通信装置より検索可能であることを特徴とする。
【００２１】
請求項７記載の電子メールサービスシステムは、請求項１乃至６のいずれか１項に記載の電子メールサービスシステムにおいて、前記通信装置は携帯電話であることを特徴とする。
【００２２】
請求項８記載の電子メールサービス方法は、送信元の通信装置が送信した電子メールをインターネットを介して受信し、当該受信した電子メールをインターネットを介して送信先の通信装置に送信するメールサーバを制御する電子メールサービス方法であって、前記メールサーバが受信した電子メールが所定のキーワードを有するか否かを判別する判別ステップと、前記受信した電子メールが前記所定のキーワードを有するときは、前記送信先の通信装置への前記受信した電子メールの送信を禁止するように前記メールサーバに指令する指令ステップとを備え、前記所定のキーワードは、前記送信先の通信装置により設定可能であり、且つ前記送信元の通信装置のメールアドレス、前記受信した電子メールのタイトル中の所定のキーワード、又は前記受信した電子メールの本文中の所定のキーワードを有することを特徴とする。
【００２３】
請求項８記載の方法によれば、受信した電子メールが所定のキーワードを有するときは、受信した電子メールを送信先の通信装置に送信しないようにメールサーバに指令し、所定のキーワードは、送信先の通信装置により設定可能であり、且つ送信先の通信装置のメールアドレス、受信した電子メールのタイトル中の所定のキーワード、又は受信した電子メールの本文中の所定のキーワードを含むので、電子メールサービスシステムを既存のメールサーバに接続するだけで、メールサーバによる所定のキーワードを含む電子メール、例えば迷惑メールの送信を受信者が任意に且つ自己の使用環境により適応した条件で禁止することができる。
【００２４】
請求項９記載の電子メールサービス方法をコンピュータに実行させるプログラムは、送信元の通信装置が送信した電子メールをインターネットを介して受信し、当該受信した電子メールをインターネットを介して送信先の通信装置に送信するメールサーバを制御する電子メールサービス方法をコンピュータに実行させるプログラムであって、前記メールサーバが受信した電子メールが所定のキーワードを有するか否かを判別する判別モジュールと、前記受信した電子メールが前記所定のキーワードを有するときは、前記送信先の通信装置への前記受信した電子メールの送信を禁止するように前記メールサーバに指令する指令モジュールとを備え、前記所定のキーワードは、前記送信先の通信装置により設定可能であり、且つ前記送信元の通信装置のメールアドレス、前記受信した電子メールのタイトル中の所定のキーワード、又は前記受信した電子メールの本文中の所定のキーワードを有するることを特徴とする。
【００２５】
請求項９記載のプログラムによれば、受信した電子メールが所定のキーワードを有するときは、受信した電子メールを送信先の通信装置に送信しないようにメールサーバに指令し、所定のキーワードは、送信先の通信装置により設定可能であり、且つ送信先の通信装置のメールアドレス、受信した電子メールのタイトル中の所定のキーワード、又は受信した電子メールの本文中の所定のキーワードを含むので、電子メールサービスシステムを既存のメールサーバに接続するだけで、メールサーバによる所定のキーワードを含む電子メール、例えば迷惑メールの送信を受信者が任意に且つ自己の使用環境により適応した条件で禁止することができる。
【００２６】
【発明の実施の形態】
以下、本発明の実施の形態を図面を参照しながら説明する。
【００２７】
図１は、本発明の実施の形態に係る電子メールサービスシステムを含む電子メール配信システムのブロック図である。
【００２８】
図１において、電子メール配信システム１は、携帯電話間の電子メールの送受信を行うべく、メールサーバ１０と、振分けサーバ２０（電子メールサービスシステム）とを備える。メールサーバ１０は、送信者（送信元）の携帯電話２が送信した電子メールをインターネットを介して受信する受信モジュール１１と、受信モジュール１１が受信した電子メール（以下「受信メール」という。）を振分けサーバ２０を介して受信すると共に、受信メールをインターネットを介して受信者（送信先）の携帯電話３に送信する送信モジュール１２と、受信者の携帯電話３がメールサーバ１０にアクセスした際に受信メールを送信する送信モジュール１３とを備える。
【００２９】
送信モジュール１２は、受信者の携帯電話３がオフライン状態にあり、受信メールを携帯電話３に送信することができない場合には、受信メールを送信モジュール１３に送信し、送信モジュール１３は、その内部に備えるメールボックス１４に受信メールを保存する。
【００３０】
振分けサーバ２０は、メールサーバ１０において受信モジュール１１が受信した受信メールを受信する受信モジュール２１と、受信モジュール２１が受信した受信メールを後述する所定の条件によりメールサーバ１０に送信するか否かを判別する判別モジュール２２，２３とを備え、判別モジュール２２，２３は、メールサーバ１０に送信すると判別した受信メールをメールサーバ１０に送信する。
【００３１】
受信モジュール２１には、電子メール配信システム１を利用する受信者（以下「サービス加入者」という。）のメールアドレスが振分けサーバ２０の運用者によって予め登録されており、受信モジュール２１は、受信メールが登録されたサービス加入者のメールアドレスへ送信されたもの（以下「システム適用メール」という。）であるか否かを判別し、受信メールがシステム適用メールであるか否かを示すフラグＡを受信メールに付して判別モジュール２２に送信する。なお、受信メールに付されるフラグＡは、受信メールがシステム適用メールであるときは「１」、システム適用メールではないときは「０」であるのに加えて、受信メールに後述する振分け処理が既に行われているときは「２」である。
【００３２】
受信モジュール２１は、受信メールにフラグＡが既に付されているときは、受信メールにフラグＡをさらに付することなく受信メールを判別モジュール２２に送信する。
【００３３】
判別モジュール２２は、受信メールがシステム適用メールであるか否か、即ち受信メールに付されているフラグＡが「１又は２」か否かを判別し、受信メールに付されているフラグＡが「１又は２」のときは、判別モジュール２２は、受信メールを判別モジュール２３に送信し、判別モジュール２３は、受信メールが後述する振分け処理を既に行われているか否か、即ちフラグＡが「２」であるか否かを判別するように構成されており、受信メールに付されているフラグＡが「２」のときは、受信メールの振分け処理は既に行われているので、判別モジュール２３は、受信メールをメールサーバ１０の送信モジュール１２に送信する。受信メールを判別モジュール２３から受信した送信モジュール１２は、携帯電話３がオンライン状態の場合は、受信メールをインターネットを介して携帯電話３に送信し、一方、携帯電話３がオフライン状態の場合は、受信メールを送信モジュール１３に送信する。
【００３４】
判別モジュール２２は、受信メールに付されているフラグＡが「１又は２」でないときは、受信メールがシステム適用メールではないので、受信メールをメールサーバ１０の送信モジュール１２に送信し、送信モジュール１２は、上述の場合と同様に、携帯電話３がオンライン状態の場合は、受信メールをインターネットを介して携帯電話３に送信し、一方、携帯電話３がオフライン状態の場合は、受信メールを送信モジュール１３に送信する。また、判別モジュール２３は、受信メールに付されているフラグＡが「２」でないときは、後述する図２の電子メール振分け処理を行うべく受信メールを後述する振分けサーバー２０の分割モジュール２４に送信する。
【００３５】
振分けサーバ２０は、さらに、判別モジュール２３が、受信メールに付されたフラグＡを「２」ではないと判別した場合に、判別モジュール２３から受信メールを受信すると共に、受信した受信メールを送信者のメールアドレス、受信メールのタイトル、及び受信メールの本文とに分割して分割データを作成する分割モジュール２４と、この作成された分割データを格納する格納データベース２５と、後述する図３及び図４で設定する振分けルールを記憶する設定データベース２６と、この振分けルールに基づいて分割データの振分け処理を行う振分けモジュール２７（指令手段）とを備える。
【００３６】
分割モジュール２４は、上述のように、分割データを作成し、この作成された分割データは格納データベース２５に送信されて、格納データベース２５は、受信した分割データを格納する。
【００３７】
振分けモジュール２７は、振分けルール（図３，４）に基づいて、分割データが、サービス加入者の携帯電話３に直接送信されるように設定されている受信メールのものであるか否かを判別し、直接送信されるように設定されているときは、この分割データを再度結合して電子メールの形に戻し、フラグＡを「２」として判別モジュール２２に送信する。
【００３８】
判別モジュール２２は、振分けモジュール２７から受信した受信メールに付されているフラグＡが「２」であるので、受信メールを判別モジュール２３に送信し、判別モジュール２３は、受信メールを分割モジュール２４に送信することなく、メールサーバ１０の送信モジュール１２に送信し、送信モジュール１２は、上述の場合と同様に、携帯電話３がオンライン状態の場合は、受信メールをインターネットを介して携帯電話３に送信し、一方、携帯電話３がオフライン状態の場合は、受信メールを送信モジュール１３に送信し、送信モジュール１３は、受信メールをメールボックス１４に保存して、携帯電話３がオンライン状態になったときに携帯電話３により受信可能となる。
【００３９】
一方、振分けモジュール２７による判別の結果、分割データが直接送信されるように設定されていないときは、図３，４で設定される振分け項目を含む受信メールの分割データを振分けルールに基づいて、格納データベース２５に保存する。
【００４０】
振分けモジュール２７によって実行される分割データの格納データベース２５内への保存は、分割データに含まれる振分け項目を判別し、この振分け項目に対応して予め作成してある保存フォルダに受信メールを夫々振分けて保存するものである。格納データベース２５内の各保存フォルダ内に保存された受信メールは、受信者が携帯電話３により振分けサーバ２０にアクセスすることにより受信することができる。
【００４１】
図２は、図１の電子メール配信システム１における振分けサーバ２０によって実行される電子メール振分け処理のフローチャートである。
【００４２】
図２において、振分けサーバ２０における受信モジュール２１は、メールサーバ１０の受信モジュール１１から電子メールを受信すると、この受信メールがシステム適用メールであるか否かを判別し（ステップＳ１１）、ステップＳ１１の判別の結果、受信メールがシステム適用メールであるときは、受信メールにフラグＡを「１」として付して（ステップＳ１２）、受信メールを判別モジュール２２に送信し（ステップＳ１４）、一方受信メールがシステム適用メールではないときは、受信メールにフラグＡを「０」として付し（ステップＳ１３）、受信メールを判別モジュール２２に送信する（ステップＳ１４）。これにより、後のステップＳ１５において受信メールがシステム適用メールであるか否かを判別することができるようになる。
【００４３】
判別モジュール２２は、受信メールのフラグＡが「１又は２」か否かを判別し（ステップＳ１５）、ステップＳ１５の判別の結果、フラグＡが「１又は２」であるとき、即ち受信メールがシステム適用メールのときは、判別モジュール２３に送信し（ステップＳ１６）、判別モジュール２３は、受信メールに付されているフラグＡが「２」であるか否かを判別する（ステップＳ１７）。ステップＳ１７の判別の結果、フラグＡが「２」でないとき（「１」のとき）、即ち受信メールがまだ後述するステップＳ１８以降の処理を行われていないときは、判別モジュール２３は、受信メールを分割モジュール２４に送信する（ステップＳ１８）。
【００４４】
次いで、分割モジュール２４は、受信メールを分割して分割データを作成し（ステップＳ１９）、分割データを格納データベース２５に送信して（ステップＳ２０）、格納データベース２５が分割データを格納する（ステップＳ２１）。さらに、振分けモジュール２７は、ステップＳ１９における分割データが後述する図３，４において設定される振分け項目を有するか否かを判別する（ステップＳ２２）。
【００４５】
ステップＳ２２の判別の結果、分割データが振分け項目を有するときは、振分け項目を有する受信メールが、サービス加入者の携帯電話３に直接送信されるように設定れているか否かを判別し（ステップＳ２３）、ステップＳ２３の判別の結果、振分け項目を有する受信メールが携帯電話３に直接送信されるように設定されているときは、振分けモジュール２７は、分割データを再度結合して電子メールの形に戻し（ステップＳ２４）、再結合された受信メールのフラグＡを「２」とした上で（ステップＳ２５）、受信メールを判別モジュール２２に送信し（ステップＳ１４）、ステップＳ１５以降の処理を繰返す。
【００４６】
ステップＳ２３の判別の結果、振分け項目を有する受信メールが携帯電話３に直接送信されるように設定されていないときは、振分けモジュール２７は、分割データを後述する図３，４の振分けルールに基づいて格納データベース２５の対応する保存フォルダに保存して（ステップＳ２６）、本処理を終了する。
【００４７】
ステップＳ２２の判別の結果、分割データが振分け項目を有しないときは、振分け項目を有する受信メールが携帯電話３に直接送信されるように設定れているか否かを判別し（ステップＳ２７）、ステップＳ２７の判別の結果、振分け項目を有する受信メールが携帯電話３に直接送信されるように設定されているときは、本処理を終了する。一方、ステップＳ２７の判別の結果、振分け項目を有する受信メールが携帯電話３に直接送信されるように設定されていない時は、ステップＳ２４以降を処理を行う。
【００４８】
ステップＳ１５の判別の結果、フラグＡが「１又は２」でないとき（「０」のとき）、即ち、受信メールがシステム適用メールでないときは、判別モジュール２２は、メールサーバ１０を送信モジュール１２に、また、ステップＳ１７の判別の結果、フラグＡが「２」のとき、即ち受信メールがすでにステップＳ１８以降の処理を行われているときは、判別モジュール２３は、メールサーバ１０を送信モジュール１２に、受信メールを送信して（ステップＳ２８）、本処理を終了する。
【００４９】
ステップＳ２８において、送信モジュール１２に送信された受信メールは、上述のように、携帯電話３がオンライン状態の場合には、インターネットを介して携帯電話３に送信され、一方、携帯電話３がオフライン状態の場合には、送信モジュール１３に送信され、メールボックス１４に保存されて、携帯電話３がオンライン状態になったときに携帯電話３により受信可能となる。
【００５０】
図２の処理によれば、振分けルール（図３，４）に、サービス加入者が受信を望む受信メールの振分け項目を設定することにより、メールサーバ１０が受信した電子メールがシステム適用メールであり（ステップＳ１５でＹＥＳ）、受信メールが振分け項目を有するときのみ（ステップＳ２２でＹＥＳ）、受信メールをサービス加入者の携帯電話３に送信するので、サービス加入者が受信を望む電子メールのみを受信することができ、一方、サービス加入者が受信を望まない受信メールの振分け項目を設定することにより、メールサーバ１０が受信した電子メールがシステム適用メールであり、受信メールが振分け項目を有しないときのみ（ステップＳ２２でＮＯ）、受信メールをサービス加入者の携帯電話３に送信し、振分け項目を有する受信メールを格納データベース２５の対応保存フォルダに保存するので、サービス加入者は、迷惑メール等の受信を望まない電子メールを受信することがなく、サービス加入者が迷惑メールを受信して不快になることを防止できる。
【００５１】
図３は、振分けモジュール２７によって実行される振分けルールの設定処理のフローチャートであり、図４は、振分けモジュール２７によって実行される振分けルールの設定処理のフローチャートである。
【００５２】
本処理は、携帯電話３を介して図示しないＣＰＵにより設定データベース２６上で行われる。
【００５３】
サービス加入者が、携帯電話３により所定の操作を行うことにより、携帯電話３がインターネットを介して振分けサーバ２０に接続されると、携帯電話３の図示しない表示素子に所定の画面が表示され、振分けサーバ２０は本振分けルール設定処理を開始する。
【００５４】
図３，４において、サービス加入者が携帯電話３により所定の操作を行うことにより携帯電話３から発信される振分けルール設定開始信号を受信したか否かを判別し（ステップＳ３１）、振分けルール設定開始信号を受信しない場合は（ステップＳ３１でＮＯ）、本処理を終了する。一方、振分けルール設定開始信号を受信した場合は（ステップＳ３１でＹＥＳ）、受信メールの送信者のメールアドレス（受信メールアドレス）、受信メールのタイトル（受信メールタイトル）、及び受信メールの本文（受信メール本文）の３項目の中から振分け項目を選択させるための項目選択画面を携帯電話３の表示素子に表示する（ステップＳ３２）。
【００５５】
次いで、振分け項目として、受信メールアドレスが選択されたか否かを判別（ステップＳ３３）する。
【００５６】
振分け項目として受信メールアドレスが選択された場合は（ステップＳ３３でＹＥＳ）、携帯電話３の表示素子に振分け項目として設定したい受信メールアドレス又は受信メールアドレス中のキーワード（受信メールアドレス等）を入力する画面を表示し（ステップＳ３４）、サービス加入者による携帯電話３の所定の操作により、受信メールアドレス等が表示画面上で入力されたか否かを判別し（ステップＳ３５）、受信メールアドレス等が入力されるまで本処理を繰り返す（ステップＳ３５でＮＯ）。受信メールアドレス等が入力された場合は（ステップＳ３５でＹＥＳ）、サービス加入者による携帯電話３の所定の操作により、入力された受信メールアドレス等を有する受信メール（入力アドレスメール）が、サービス加入者の携帯電話３に直接送信されることを望む直接送信メールに設定されたか否かを判別する（ステップＳ３６）。
【００５７】
入力アドレスメールが直接送信メールに設定された場合は（ステップＳ３６でＹＥＳ）、設定データベースに入力アドレスメールをサービス加入者の携帯電話３に直接送信する処理を記憶させて（ステップＳ３７）、本処理を終了する。一方、入力アドレスメールが直接送信メールに設定されていない場合は（ステップＳ３６でＮＯ）、入力アドレスメールを保存する格納データベース２５内のフォルダ（保存フォルダ）を指定させる画面を表示する（ステップＳ３８）。
【００５８】
次いで、保存フォルダが指定されたか否かを判別し（ステップＳ３９）、保存フォルダが指定されるまで本処理を繰り返す（ステップＳ３９でＮＯ）。保存フォルダが指定された場合は（ステップＳ３９でＹＥＳ）、設定データベース２６に入力アドレスメールを保存フォルダに保存する処理を記憶させて（ステップＳ４０）、本処理を終了する。
【００５９】
一方、振分け項目として受信メールアドレスが選択されない場合は（ステップＳ３３でＮＯ）、振分け項目として、受信メールタイトルが選択されたか否かを判別（ステップＳ４１）する。
【００６０】
振分け項目として受信メールタイトルが選択された場合は（ステップＳ４１でＹＥＳ）、携帯電話３の表示素子に振分け項目として設定したい受信メールタイトル又は受信メールタイトル中のキーワード（受信メールタイトル等）を入力する画面を表示し（ステップＳ４２）、サービス加入者による携帯電話３の所定の操作により、受信メールタイトル等が表示画面上で入力されたか否かを判別し（ステップＳ４３）、受信メールタイトル等が入力されるまで本処理を繰り返す（ステップＳ４３でＮＯ）。受信メールタイトル等が入力された場合は（ステップＳ４３でＹＥＳ）、サービス加入者による携帯電話３の所定の操作により、入力された受信メールタイトル等を有する受信メール（入力タイトルメール）が、サービス加入者の携帯電話３に直接送信されることを望む直接送信メールに設定されたか否かを判別する（ステップＳ４４）。
【００６１】
入力タイトルメールが直接送信メールに設定された場合は（ステップＳ４４でＹＥＳ）、設定データベースに入力タイトルメールをサービス加入者の携帯電話３に直接送信する処理を記憶させて（ステップＳ４５）、本処理を終了する。一方、入力タイトルメールが直接送信メールに設定されていない場合は（ステップＳ４４でＮＯ）、入力タイトルメールを保存する格納データベース２５内のフォルダ（保存フォルダ）を指定させる画面を表示する（ステップＳ４６）。
【００６２】
次いで、保存フォルダが指定されたか否かを判別し（ステップＳ４７）、保存フォルダが指定されるまで本処理を繰り返す（ステップＳ４７でＮＯ）。保存フォルダが指定された場合は（ステップＳ４７でＹＥＳ）、設定データベース２６に入力タイトルメールを保存フォルダに保存する処理を記憶させて（ステップＳ４８）、本処理を終了する。
【００６３】
一方、振分け項目として受信メールタイトが選択されない場合は（ステップＳ４１でＮＯ）、振分け項目として、受信メール本文が選択されたか否かを判別（ステップＳ４９）する。
【００６４】
振分け項目として受信メール本文が選択された場合は（ステップＳ４９でＹＥＳ）、携帯電話３の表示素子に振分け項目として設定したい受信メール本文又は受信メール本文中のキーワード（受信メール本文等）を入力する画面を表示し（ステップＳ５０）、サービス加入者による携帯電話３の所定の操作により、受信メール本文等が表示画面上で入力されたか否かを判別し（ステップＳ５１）、受信メール本文等が入力されるまで本処理を繰り返す（ステップＳ５１でＮＯ）。受信メール本文等が入力された場合は（ステップＳ５１でＹＥＳ）、サービス加入者による携帯電話３の所定の操作により、入力された受信メール本文等を有する受信メール（入力本文メール）が、サービス加入者の携帯電話３に直接送信されることを望む直接送信メールに設定されたか否かを判別する（ステップＳ５２）。
【００６５】
入力本文メールが直接送信メールに設定された場合は（ステップＳ５２でＹＥＳ）、設定データベースに入力本文メールをサービス加入者の携帯電話３に直接送信する処理を記憶させて（ステップＳ５３）、本処理を終了する。一方、入力本文メールが直接送信メールに設定されていない場合は（ステップＳ５２でＮＯ）、入力本文メールを保存する格納データベース２５内のフォルダ（保存フォルダ）を指定させる画面を表示する（ステップＳ５４）。
【００６６】
次いで、保存フォルダが指定されたか否かを判別し（ステップＳ５５）、保存フォルダが指定されるまで本処理を繰り返す（ステップＳ５５でＮＯ）。保存フォルダが指定された場合は（ステップＳ５５でＹＥＳ）、設定データベース２６に入力本文メールを保存フォルダに保存する処理を記憶させて（ステップＳ５６）、本処理を終了する。
【００６７】
一方、振分け項目として受信メール本文が選択されない場合は（ステップＳ４９でＮＯ）、本処理を終了する。
【００６８】
ステップＳ３３，Ｓ４１，Ｓ４９において夫々設定する振分け項目としての受信メールアドレス等、受信メールタイトル等、及び受信メール本文等は、これらの受信メールアドレス等、受信メールタイトル等、及び受信メール本文等を短縮したものであっても良い。さらに、格納データベース２５は、図示しないメールアドレス記憶手段を有しており、このメールアドレス記憶手段に予めメールアドレスを登録しておき、この登録されたメールアドレスの中から振分け項目としてのメールアドレスを選択することにより、ステップＳ３５の設定をしても良い。
【００６９】
図３，４の振分けルール設定処理により、サービス加入者は、送信項目として入力された受信メールアドレス等、受信メールタイトル等、及び受信メール本文等（ステップＳ３３、Ｓ４１，Ｓ４９）を有する入力アドレスメール、入力タイトルメール、及び入力本文メールを携帯電話３に直接送信するか否かを選択でき（ステップＳ３６，Ｓ４３，Ｓ５２）、直接送信すると設定された入力アドレスメール、入力タイトルメール、及び入力本文メールは（ステップＳ３６，Ｓ４３，及びＳ５２でＹＥＳ）、サービス加入者の携帯電話３に直接送信され、直接送信しないと設定された入力アドレスメール、入力タイトルメール、及び入力本文メールは（ステップＳ３６，Ｓ４３，及びＳ５２でＮＯ）、サービス加入者の携帯電話３に直接送信されずに格納データベース２５に保存されるので、メールサーバ１０のサービス加入者の携帯電話３への迷惑メールの送信を防止することができる。
【００７０】
さらに、受信メールを保存する保存フォルダを入力した振分け項目に対応して作成することができるので、格納データベース２５に保存された受信メールの格付けを行うことができる。
【００７１】
本発明の実施の形態によれば、振分けサーバ２０を既存のメールサーバ１０に接続するだけで、サービス加入者が振分けサーバ２０に振分け項目（受信メールアドレス等、受信メールタイトル等、受信メール本文等）を設定することにより、メールサーバ１０による上記振分け項目を有する受信メール（入力アドレスメール、入力タイトルメール、及び入力本文メール）の携帯電話３への送信を防止することができ、もってサービス加入者が携帯電話３への直接送信を望まない受信メールのメールサーバ１０による携帯電話３への送信を容易に防止することができる。
【００７２】
本発明の実施の形態においては、振分けサーバ２０は、送信者の送信した電子メールをメールサーバ１０の受信モジュール１１を介して受信し、この受信メールに図２の振分け処理を実施して、サービス加入者の携帯電話３に送信するものであるが、振分けサーバ２０はこれに限るものではなく、振分けサーバ２０は、直接送信者の送信した電子メールを受信モジュール２１により受信し、図２の振分け処理を実施した後に、受信メールをメールサーバ１０の受信モジュール１１に送信して上述のように送信モジュール１２又は送信モジュール１３を介してサービス加入者の携帯電話３に送信するようにしたものであってもよい。
【００７３】
本発明の実施の形態においては、全てのシステム適用メールである受信メールが格納データベース２５に分割データとして保存されているので、サービス加入者が携帯電話３により所定の操作をして、所定のキーワードを振分けサーバ２０に入力することにより、このキーワードを含む受信メールを格納データベース２５内において検索することもできる。
【００７４】
本発明の実施の形態において、振分け項目は、受信メールアドレス等、受信メールタイトル等、受信メール本文等としたが、振分け項目はこれに限るものではなく、例えば、受信メールの日付であってもよい。
【００７５】
本実施の形態においては、電子メールの送受信は携帯電話２，３により行われるものとしたが、本発明はこれに限定されるものではなく、例えばパーソナルコンピュータにより行われてもよい。
【００７６】
本発明は、上述した実施の形態の機能を実現するソフトウェアのプログラム（図２又は図３，４の処理に対応するプログラム）をシステム又はシステムのコンピュータ若しくはシステムのＣＰＵに供給し、そのコンピュータ又はＣＰＵが該供給されたプログラムを読出して実行することによって、本発明の目的を達成することができるのは云うまでもない。
【００７７】
この場合、上記プログラムは、該プログラムを記録した記憶媒体から直接供給されるか、又はインターネット、商用ネットワーク、若しくはローカルエリアネットワーク等に接続される図示しないの他のコンピュータやデータベース等からダウンロードすることにより供給される。
【００７８】
また、上記プログラムは、上述した実施の形態の機能を実現することができればよく、そのプログラムの形態は、オブジェクトコード、インタプリタにより実行されるプログラムコード、ＯＳに供給されるスクリプトデータ等の形態から成ってもよい。
【００７９】
更にまた、上述した本発明の実施の形態の機能を実現するソフトウェアのプログラムを記憶した記憶媒体を振分けサーバ２０又は振分けサーバ２０のコンピュータ若しくは振分けサーバ２０のＣＰＵに供給し、そのコンピュータ又はＣＰＵが記憶媒体に記憶されたプログラムを読出して実行することによっても、本発明の目的を達成することができるのは云うまでもない。
【００８０】
上述した本発明の実施の形態では、プログラムは、図示しないＲＯＭに記憶されるが、ＲＯＭに限定する必要はなく、プログラムを記憶する記憶媒体としては、例えば、ＲＡＭ、ＮＶ−ＲＡＭ、フロッピー（登録商標）ディスク、ハードディスク、光ディスク（登録商標）、光磁気ディスク、ＭＯ、ＣＤ−ＲＯＭ、ＣＤ−ＲＷ、ＤＶＤ−Ｒ、ＤＶＤ−ＲＯＭ、磁気テープ、不揮発性のメモリカード、他のＲＯＭ等の上記プログラムを記憶することができるものであればよい。
【００８１】
尚、上述したダウンロードすることにより供給されるプログラムは、圧縮されたものから成り、場合によっては自動インストール機能を含むファイルであってもよい。また、ダウンロードすることにより供給されるプログラムは、複数のファイルに分割されたプログラムコードであってもよく、この場合は、夫々のプログラムコードを別々にダウンロードしてもよい。即ち、上述した実施の形態の機能を実現するプログラムファイルをダウンロードさせるＷＷＷサーバも本発明を構成する。
【００８２】
また、上記供給されるプログラムは、暗号化されたプログラムをＣＤ−ＲＯＭ等の記憶媒体に記憶させてユーザに頒布し、所定の条件をクリアしたユーザに暗号を解く鍵情報をＷＷＷサーバを介してダウンロードさせ、その鍵情報を使用することにより暗号化されたプログラムの暗号が解かれてるものであってもよい。
【００８３】
また、供給されたプログラムの指示に基づき、コンピュータ上で稼働しているＯＳ（オペレーティングシステム）等が実際の処理の一部又は全部を実行することにより、上述した実施の形態の機能を実現してもよい。
【００８４】
更に、コンピュータが備える機能拡張ボード又は機能拡張ユニットのメモリに記憶媒体から読出されたプログラムを書込み、その書込まれたプログラムの指示に基づき、その機能拡張ボード又は機能拡張ユニットを備えるコンピュータ又はＣＰＵが実際の処理の一部又は全部を実行することにより、上述した実施の形態の機能を実現してもよい。
【００８５】
【発明の効果】
以上詳細に説明したように、請求項１記載のシステム、請求項８記載の方法、及び請求項９記載のプログラムによれば、受信した電子メールが所定のキーワードを有するときは、受信した電子メールを送信先の通信装置に送信しないようにメールサーバに指令し、所定のキーワードは、送信先の通信装置により設定可能であり、且つ送信先の通信装置のメールアドレス、受信した電子メールのタイトル中の所定のキーワード、又は受信した電子メールの本文中の所定のキーワードを含むので、電子メールサービスシステムを既存のメールサーバに接続するだけで、メールサーバによる所定のキーワードを含む電子メール、例えば迷惑メールの送信を受信者が任意に且つ自己の使用環境により適応した条件で禁止することができる。
【００８６】
請求項２記載のシステムによれば、受信した電子メールが所定の他のキーワードを有するときは、受信した電子メールを送信先の通信装置に送信をするようにメールサーバに指令するので、受信者は受信を望む電子メールのみを受信することができる。
【００８７】
請求項３記載のシステムによれば、所定の他のキーワードは、送信先の通信装置により設定可能であり、且つ送信元の通信装置のメールアドレス、受信した電子メールのタイトル中の所定のキーワード、又は受信した電子メールの本文中の所定のキーワードを有するので、受信者が受信を望む電子メールを、受信者が任意に且つ自己の使用環境により適応した条件で禁止することができる。
【００８８】
請求項４記載のシステムによれば、格納手段が受信した電子メールを格納するので、送信先の通信装置からシステムにアクセスすることにより、当該通信装置において受信した電子メールを見ることができる。
【００８９】
請求項５記載のシステムによれば、受信した電子メールが所定のキーワードを有するときは、当該受信した電子メールを所定のキーワードに対応する格納領域に格納するので、受信した電子メールの格付けをすることができる。
【図面の簡単な説明】
【図１】本発明の実施の形態に係る電子メールサービスシステムを含む電子メール配信システムのブロック図である。
【図２】図１の電子メール配信システムにおける振分けサーバによって実行される電子メール振分け処理のフローチャートである。
【図３】図１における振分けモジュールによって実行される振分けルールの設定処理のフローチャートである。
【図４】図１における振分けモジュールによって実行される振分けルールの設定処理のフローチャートである。
【符号の説明】
１　電子メール配信システム
１０　メールサーバ
１１，２２　受信モジュール
１３，１４　送信モジュール
１５　メールボックス
２０　振分けサーバ
２２，２３　判別モジュール
２４　分割モジュール
２５　格納データベース
２６　設定データベース
２７　振分けモジュール
【図１】
2004030626.tif 000003
【図２】
2004030626.tif 000004
【図３】
2004030626.tif 000005
【図４】
2004030626.tif 000006